(57)【特許請求の範囲】
【請求項１】
メタルハライドランプなどの白色光源よりの白色光を第一のコンデンサレンズで集光し、集光最小面積部に配置した回転色フィルタで色選択透過した光線を第二のコンデンサレンズで反射型表示ディバイス上に投影し、映像信号で光変調された反射光を投射レンズでスクリーン上に投射する反射型プロジェクタにおいて、
前記映像信号の１フィールド期間に同一色選択特性の色フィルタが複数回通過する回転色フィルタと、該回転色フィルタを回転駆動するモータと、該回転色フィルタの回転位相を表すインデックスを検出するセンサと、前記映像信号をｎビットの色別ディジタル画像データとして循環的に記憶する画像記憶手段と前記センサで検出した回転位相よりタイミングパルスを生成する手段と前記タイミングパルスにより前記ディジタル画像データを色順、レベル順に読出し前記反射型表示ディバイスを駆動する手段と前記回転色フィルタを前記映像信号に同期した回転制御を行う手段とを有する表示制御装置で構成し、
前記回転色フィルタは入力映像信号に同期して回転制御され、前記センサで検出した回転位相よりタイミングパルスを生成し，前記タイミングパルスにより前記ディジタル画像データを色順、レベル順に読出し、前記反射型表示ディバイスを駆動することを特徴とする反射型プロジェクタ。
【請求項２】
前記回転色フィルタを、
色別ディジタル画像データのビットのレベルウエイトに比例した角度の色フィルタを形成し、各色同一ビットの色フィルタをビットウエイト順で交互にｎ個配置することにより形成することを特徴とする請求項１記載の反射型プロジェクタ。
【請求項３】
前記回転色フィルタを、
色別ディジタル画像データのビットのレベルウエイトに比例した角度の色フィルタを形成し、各色同一ビットの色フィルタを任意順で交互にｎ個配置することにより形成することを特徴とする請求項１記載の反射型プロジェクタ。
【請求項４】
前記回転色フィルタを、
色別ディジタル画像データのビットの最小レベルウエイトに比例した角度の色フィルタを形成し、各色の色フィルタを交互に配置することにより形成することを特徴とする請求項１記載の反射型プロジェクタ。
【請求項５】
前記回転色フィルタを、
等しい角度の色フィルタを形成することを特徴とする請求項１記載の反射型プロジェクタ。
【請求項６】
前記回転色フィルタを、
反射膜の上に等しい角度の色フィルタを形成した反射型回転円筒色フィルタとすることを特徴とする請求項１記載の反射型プロジェクタ。
【請求項７】
前記色フィルタを、
Ｒ（赤）Ｇ（緑）Ｂ（青）などの原色フィルタとすることを特徴とする請求項３、４、もしくは６記載の反射型プロジェクタ。
【請求項８】
前記色フィルタを、
Ｒ−Ｙ（輝度信号）、Ｂ−Ｙなどの色差色フィルタとするこを特徴とする請求項３、４、もしくは６記載の反射型プロジェクタ。
【請求項９】
前記インデックスを、
垂直同期部を表すＶＢＬ、前記ビットの境界を表すＢＬ、色の境界を表すＣＬなどで構成することを特徴とする請求項１記載の反射型プロジェクタ。
【請求項１０】
前記インデックスを、
回転円板上に形成したブラックストライブで形成することを特徴とする請求項９記載の反射型プロジェクタ。
【請求項１１】
前記インデックスを、
回転円板上に形成したコードパタンで形成することを特徴とする請求項９記載の反射型プロジェクタ。
【請求項１２】
前記インデックスを、
回転円板上に形成した貫通孔とすることを特徴とする請求項９記載の反射型プロジェクタ。
【請求項１３】
前記インデックスを、
回転円板上に磁性体膜もしくは磁石で形成することを特徴とする請求項９記載の反射型プロジェクタ。
【請求項１４】
前記反射型表示ディバイスを、
全色反射面を有する強誘電体液晶デイバイスとすることを特徴とする請求項１記載の反射型プロジェクタ。
【請求項１５】
前記反射型表示ディバイスを、
全色反射面を電歪制御するＤＭＤ（Digital Mirror Divice)とすることを特徴とする請求項１記載の反射型プロジェクタ。
【請求項１６】
前記表示制御装置を、
アナログ映像信号をディジタル画像データに変換するＡ／Ｄ（Analog Digital converter）と、前記ディジタル画像データ１フィールドもしくは１フレーム分記憶する画像メモリと、フィールドもしくはフレーム毎に前記ディジタル画像データを切換えて前記画像メモリに選択記憶させるセレクタと、前記センサが検出したインデックス信号を増幅するアンプと、前記インデックス信号より前記ＶＢＬ、ＢＬ、ＣＬなどのタイミング信号を生成するタイミングデコーダと、前記映像の同期信号と前記ＶＢＬ、ＢＬ、ＣＬなどのタイミングパルスとから前記画像データメモリより画像データを読出し、所定の画像データ配列に変換しするタイミングパルスを生成し、画像の階調制御を行う階調制御部と、前記タイミングパルスに基づき前記画像データメモリよりパラレル画像データを読出し、色毎、レベル毎の画像データを選択出力するデータセレクタと、前記反射型表示ディバイスのＸ方向のデータ転送駆動を行うＸレジスタと、前記選択出力された画像データで前記反射型表示ディバイスのＹ方向のデータ転送駆動を行うＹドライブと、前記タイミング信号と前記映像の同期信号とで前記モータの回転制御を行う駆動制御部と、前記駆動制御部の出力で前記モータの供給電源を駆動する駆動部とで構成することを特徴とする請求項１記載の反射型プロジェクタ。
【請求項１７】
前記データセレクタを、
複数の入力データを任意に選択するマルチプレクサで構成し、前記タイミングパルスにより所定の色ビットの画像データを選択出力することを特徴とする請求項１６記載の反射型プロジェクタ。
【請求項１８】
前記データセレクタを、
色ビット毎にタイミングパルスと論理積を行うＡＮＤゲートと、前記全ＡＮＤゲート出力で論理和をとるＯＲゲーとで構成し、所定の色ビットの画像データを選択出力することを特徴とする請求項１６記載の反射型プロジェクタ。
【請求項１９】
前記階調制御部の生成するタイミングパルスを、
各色毎のビットウエートに比例したパルス幅のパルスとすることを特徴とする請求項１６記載の反射型プロジェクタ。
【請求項２０】
前記階調制御部の生成するタイミングパルスを、
最小ビットウエートに比例したパルス幅のパルスとし、各色ごと２のｎ乗回繰り返し出力することを特徴とする請求項１６記載の反射型プロジェクタ。
【請求項２１】
前記センサを、ホトダイオードとすることを特徴とする請求項１記載の反射型プロジェクタ。
【請求項２２】
前記センサを、ホトトランジスタとすることを特徴とする請求項１記載の反射型プロジェクタ。
【請求項２３】
前記センサを、磁気ヘッドや磁気抵抗ディバイスなどの磁気センサとすることを特徴とする請求項１記載の反射型プロジェクタ。
【発明の詳細な説明】
【０００１】
【発明の属する技術分野】
反射型表示ディバイスを用いた反射型プロジェクタに係わり、特に回転色フィルタを利用したものに関わる。
【０００２】
【従来の技術】
図６に示す従来技術による、反射型プロジェクタは、メタルハライドランプなどの白色光源Ｌよりの白色光を第一のコンデンサレンズＬｎ１で集光し、集光最小面積部に配置したＲＧＢなどの色フィルタを有する回転色フィルタ１で色選択透過した光線を第二のコンデンサレンズＬｎ２で反射型表示ディバイス４上に投影し、映像信号で光変調された反射光を投射レンズＬｎ３でスクリーンＳに投射出力する。反射型表示ディバイス４は入射光面の裏側に全反射膜を形成した液晶パネルなどで形成され、画素ごとのスイッチトランジスタは反射膜の内側に形成されることから液晶パネルの開口率が高く、又色フィルタなどのないモノクロの液晶パネルを用いることが出来且つダイクロッィクミラーやダイクロイックプリズムなどを用いる必要がないなど安価な装置が提供されている。しかしながらＲＧＢの回転色フィルタは１フレームもしくは１フィールに一回転の速度で回転しており、該プロジェクタの利用者が瞬きしたり頭を動かした場合、スクリーンに投射出力されている画面が不自然に見えたり、フリッカを感じるような問題点が発生する。
【０００３】
【発明が解決しようとする課題】
以上の問題点に鑑み、本発明はスクリーンに投射出力されている画面が自然に見え、フリッカを感じない形式の回転色フィルタを用いた反射型プロジェクタの提供を目的とする。
【０００４】
【課題を解決するための手段】
メタルハロイドランプなどの白色光源よりの白色光を第一のコンデンサレンズで集光し、集光最小面積部に配置した回転色フィルタで色選択透過した光線を第二のコンデンサレンズで反射型表示ディバイス上に投影し、映像信号で光変調された反射光を投射レンズでスクリーン上に投射する反射型プロジェクタにおいて、
映像信号の１フィールド期間に同一色選択特性の色フィルタが複数回通過する回転色フィルタと、該回転色フィルタを回転駆動するモータと、該回転色フィルタの回転位相を表すインデックスを検出するセンサと、映像信号をｎビットの色別ディジタル画像データとして循環的に記憶する画像記憶手段と該センサで検出した回転位相よりタイミングパルスを生成する手段とタイミングパルスによりディジタル画像データを色順、レベル順に読出し反射型表示ディバイスを駆動する手段と回転色フィルタを映像信号に同期した回転制御を行う手段とを有する表示制御装置で構成する。
【０００５】
さらに、回転色フィルタを、
色別ディジタル画像データのビットのレベルウエイトに比例した角度の色フィルタを形成し、各色同一ビットの色フィルタをビットウエイト順で交互にｎ個配置する、
色別ディジタル画像データのビットのレベルウエイトに比例した角度の色フィルタを形成し、各色同一ビットの色フィルタを任意順で交互にｎ個配置することにより形成する、
色別ディジタル画像データのビットの最小レベルウエイトに比例した角度の色フィルタを形成し、各色の色フィルタを交互に配置する、
もしくは、等しい角度の色フィルタを形成する。
【０００６】
さらに、色フィルタを、
Ｒ（赤）Ｇ（緑）Ｂ（青）などの原色フィルタとする、
もしくは、Ｒ−Ｙ、Ｂ−Ｙなどの色差色フィルタとする。
【０００７】
さらに、インデックスを、
垂直同期部を表すＶＢＬ、前記ビットの境界を表すＢＬ、色の境界を表すＣＬなどで構成する。
さらに、インデックスを、
回転円板上に形成したブラックストライブで形成する、
回転円板上に形成したコードパタンで形成する、
回転円板上に形成した貫通孔とする、
もしくは、回転円板上に磁性体膜もしくは磁石で形成する。
【０００８】
さらに、反射型表示ディバイスを、
全色反射面を有する強誘電体液晶デイバイスとする、
もしくは、全色反射面を電歪制御するＤＭＤとする。
【０００９】
さらに、表示制御装置を、
アナログ映像信号をディジタル画像データに変換するＡ／Ｄと、ディジタル画像データ１フィールドもしくは１フレーム分記憶する画像メモリと、フィールドもしくはフレーム毎にディジタル画像データを切換えて前記画像メモリに選択記憶させるセレクタと、センサが検出したインデックス信号を増幅するアンプと、前記インデックス信号よりＶＢＬ、ＢＬ、ＣＬなどのタイミング信号を生成するタイミングデコーダと、映像の同期信号とＶＢＬ、ＢＬ、ＣＬなどのタイミングパルスとから画像データメモリより画像データを読出し、所定の画像データ配列に変換するタイミングパルスを生成し、画像の階調制御を行う階調制御部と、タイミングパルスに基づき画像データメモリよりパラレル画像データを読出し、色毎、レベル毎の画像データを選択出力するデータセレクタと、反射型表示ディバイスのＸ方向のデータ転送駆動を行うＸレジスタと、選択出力された画像データで反射型表示ディバイスのＹ方向のデータ転送駆動を行うＹドライブと、該タイミング信号と映像の同期信号とでモータの回転制御を行う駆動制御部と、駆動制御部の出力でモータの供給電源を駆動する駆動部とで構成する。
【００１０】
さらに、データセレクタを、
複数の入力データを任意に選択するマルチプレクサで構成し、タイミングパルスにより所定の色ビットの画像データを選択出力する、
もしくは、色ビット毎にタイミングパルスと論理積を行うＡＮＤゲートと、全ＡＮＤゲート出力で論理和をとるＯＲゲーとで構成する。
【００１１】
さらに、階調制御部の生成するタイミングパルスを、
各色毎のビットウエートに比例したパルス幅のパルスとする、
もしくは、最小ビットウエートに比例したパルス幅のパルスとし、各色ごと２のｎ乗回繰り返し出力する。
【００１２】
さらに、センサを、
ホトダイオードとする、
ホトトランジスタとする、
もしくは、磁気ヘッドや磁気抵抗ディバイスなどの磁気センサとする。
【００１３】
【発明の実施の形態】
図１は本発明による反射型プロジェクタの一実施例の要部構成図、図２は本発明による回転色フィルタの各種実施例、図３は本発明による表示制御装置の一実施例の要部ブロック図である。図４は本発明の色フィルタの構成を示す説明図、図５は本発明によるデータセレクタとタイミングパルスの制御タイミング図である。
図１を用いて本プロジェクタの概要動作を説明する。
本装置は、ＶＧＡ（６４０ドットＸ４８０ライン）画面のＲ（赤）Ｇ（緑）Ｂ（青）アナログ信号がコンピュータより入力されており、４千色の表示能力を有する反射型プロジェクタである。従ってＲＧＢ各色とも４ビットの画像データを基に表示制御が成される。
該装置は、メタルハロイドランプなどの白色光源Ｌよりの白色光を第一のコンデンサレンズＬｎ１で集光し、集光最小面積部に配置され、映像信号の１フィールド期間に同一色選択特性の色フィルタが複数回通過する回転色フィルタ２で色選択透過した光線を第二のコンデンサレンズＬｎ２で反射型表示ディバイス４に投影し、映像信号で光変調された反射光を投射レンズＬｎ３でスクリーンＳに投射する反射型プロジェクタである。回転色フィルタ２はモータ２により回転駆動され、その回転位相を表すインデックスはセンサ３により検出される。
【００１４】
反射型表示ディバイス４は駆動入力信号によりその反射率を１か０に制御する光スイッチ型の特性を有し、反射光の輝度は該光スイッチのＯＮ／ＯＦＦ時間比率と人間の目の残像現象により、単位時間（３０〜６０ミリ秒）の平均輝度として表される。本装置が採用する反射型表示ディバイス４は、全色反射面を有する強誘電体液晶デイバイス、もしくは、全色反射面を電歪制御するＤＭＤである。
表示制御装置５は、映像入力端子６より入力されてたＶＧＡ画面のＲＧＢアナログ信号をアナログ／ディジタル変換した後、４ビットの色別ディジタル画像データとして循環的に記憶する画像記憶手段と、センサ３で検出した回転位相よりタイミングパルスを生成する手段と、タイミングパルスによりディジタル画像データを色順、レベル順に読出し反射型表示ディバイス４を駆動する手段と、回転色フィルタ１を映像信号に同期した回転制御を行う手段とを有する。さらに、モータ２に回転駆動される回転色フィルタ１を入力映像信号に同期して回転制御すと共にセンサ３で検出したインデックスよりタイミングパルスを生成し，該タイミングパルスにより画像記憶手段に記憶されているディジタル画像データを色順、レベル順に読出し、反射型表示ディバイス４を駆動する。
【００１５】
図２を用いて、各種回転色フィルタについて説明する。
（イ）は第一の実施例で、ＲＧＢ原色の色フィルタ膜が回転円板上に形成されている。該回転円板は映像の１フィールド期間に１回転し、色フィルタ膜は各色の画像データビットに対応して形成される。ｒ８およびｒ１は、Ｒの最上位ビット（以下ＭＳＢと云う）およびＲの最下位ビット（ＬＳＢ）用の色フィルタである。色フィルタの形成角度は、該当ビットの映像レベルのウエイト（比率）に比例した角度が割当られる。ｒ８は４ビット画像データのＭＳＢ用であり比率８が、ｒ１はＬＳＢ用であり比率１が与えられる。色フィルタはｒ８−ｇ８−ｂ８−ｒ４−ｂ４−ｂ４−．．．．．ｒ１−ｇ１−ｂ１の順に配列され垂直ブランキング期間にはブラックストライブ（ＢＬ）とその一部にインデックス部１ａが配置されている。またビット毎の境界部にはＢＬが、色間のとの境界部には細いブラックストライブ（ＣＬ）が配置されている。インデックス部は、前述のブラックストライブ、バーコードなどのコードパターン、単純な透明穴、もしくは磁性膜や磁石を形成するなどの手段が選択される。
【００１６】
（ロ）は第二の実施例で、ＬＳＢのウエイトを有するＲＧＢ原色の色フィルタ膜が各色１６組が回転円板上に形成されている。
（ハ）は第三の実施例で、ＲＧＢ原色の色フィルタ膜は約１２０度の等角度に配置され、回転円板の回転速度は第一および第二の実施例の１６倍の速度で回転駆動される。
【００１７】
（ニ）は第四の実施例で、鏡面仕上げされた回転円筒の表面に全反射膜が形成され、該反射膜の上に色フィルタを約１２０度の等角度で配置された回転色フィルタである。第一のコンデンサレンズＬｎ１で回転色フィルタの外周面に集光され色選択反射した反射光は、を第二のコンデンサレンズＬｎ２で反射型表示ディバイス４に入射される。該回転円筒は、モータ2 により回転駆動される、又インデックス部は色フィルタと同様反射膜上にブラックストライブ、コードパターン、もしくは磁性膜などで形成される。又円筒形であり高速回転に適している。
本回転色フィルタは円筒面で色選択反射した反射光の幾何学歪みを補正する光学手段が必要となるがその内容の記述は省略する。
【００１８】
図示しない第五の実施例は、第一の実施例が各色の色フィルタをレベルウエイト順ではなく、上位ビットと下位ビットの色フィルタを交互に配置したもので、視覚的に分散配置されるためフリッカなどの発生をより抑制することが出来る。
【００１９】
色フィルタは、前述のＲＧＢなどの原色フィルタとＲ−Ｙ、Ｇ−Ｙ等の色差形式の色差フィルタなどが用いられる、後者の色差フィルタの場合には画像データ構成および処理形態が異なる。
【００２０】
さらに図３および図４を加えて表示制御装置５の詳細動作を説明する。
表示制御装置５は、アナログ映像信号をディジタル画像データに変換するＡ／Ｄ６１と、ディジタル画像データ１フィールドもしくは１フレーム分記憶する画像メモリ６３、６４と、フィールドもしくはフレーム毎にディジタル画像データを切換えて前記画像メモリに選択記憶させるセレクタ６２と、センサ３が検出したインデックス信号を増幅するアンプ５１と、該インデックス信号より前記ＶＢＬ、ＢＬ、ＣＬなどのタイミング信号を生成するタイミングデコーダ５２と、映像の同期信号と前記ＶＢＬ、ＢＬ、ＣＬなどのタイミングパルスとから画像データメモリ６３、６４より画像データを読出し、所定の画像データ配列に変換しするタイミングパルスを生成し、画像の階調制御を行う階調制御部６６と、タイミングパルスに基づき画像データメモリよりパラレル画像データを読出し、色毎、レベル毎の画像データを選択出力するデータセレクタ６５と、反射型表示ディバイス４のＸ方向のデータ転送駆動を行うＸレジスタ６８と、選択出力された画像データで反射型表示ディバイスのＹ方向のデータ転送駆動を行うＹドライブ６７と、該タイミング信号と映像の同期信号とでモータ２の回転制御を行う駆動制御部５３と、駆動制御部の出力でモータ２の供給電源を駆動する駆動部５４とで構成される。
センサ３は、ホトダイオード、ホトトランジスタ、もしくは、磁気ヘッドや磁気抵抗ディバイスなどの磁気センサなどが、選択される。
【００２１】
映像入力端子６より入力されてたＶＧＡ画面のＲＧＢアナログ信号はＡ／Ｄ６１でアナログ／ディジタル変換され、４ビットの色別ディジタル画像データとして画像データメモリ６３、６４に循環的に記憶される。セレクタ６２は画像データをフィールド毎、交互に画像データメモリに選択入力する。画像データメモリ内では該画像データは循環的に前回記憶データ上に上書き記憶される。
モータ２により回転駆動される回転色フィルタ１上に形成された回転位相を表すインデックスはセンサ３により検出され、アンプ５１により増幅された後、タイミングデコーダ５２により、垂直同期部を表すＶＢＬ、ビット毎の境界を表すＢＬ、色の境界を表すＣＬなどが回転位相を表すタイミング信号がデコードされる。一方、駆動制御部５３は、デコードされたＶＢＬと入力映像信号より分離された垂直同期Ｖとを位相比較制御した信号を、駆動部５４に入力しモータ２の駆動回転制御を行う。
【００２２】
図４（イ）は、前述の回転色フィルタの回転位相を表す説明図である。従来技術による色フィルタはＲＧＢとして表示される様に１フィールド期間の１／３期間づつ均等に配置されている。
第一の実施例の回転色フィルタは、Ｒ、ＧおよびＢの如く色毎に分離して表示している。先ずｒ８が約８／４８フィールド期間あり、次いでｇ８およびｂ８が同様約８／４８フィルド期間づつある。続いてｒ４、ｇ４、ｂ４が約８／４８フィールド期間、ｒ２、ｇ２、ｂ２が約２／４８フィルド期間、さらに、ｒ１、ｇ１、ｂ１が約１／４８フィルド期間と続く。ここで「約」としたのはインデックス部を省略して表示している為である。
【００２３】
図４（ロ）は、第二の実施例の回転色フィルタで、ｒ１、ｇ１、ｂ１が各々約１／４８フィルド期間の組合わせで、１６組配置されている。
図４（ハ）は、第一の実施例がの映像信号ビットウエイト順に配列されているのに対して、ｒ８−ｒ１ーｒ４−ｒ２の様に上位ビットと下位ビット用の色フィルタが交互に配置されている。
【００２４】
図５（ロ）は、回転色フィルタの第一実施例のインデクス信号およびタイミングパルスのタイムチャートである。Ｐ０は、ＶＢＬ、ＣＬ、ＢＬで構成されるインデクス信号を表す。Ｐｍは、ＬＳＢの画像データを読出し、表示出力するタイミングパルスで、ｍは映像レベルのウエイトを表す。Ｐ８（ｍ＝８）はＭＳＢ、Ｐ１（ｍ＝１）はＬＳＢの画像データを読出し、表示出力するタイミングパルスを意味する。ＲｍはＲの画像画像データを読出し、表示出力するタイミングパルスを意味する。これらのタイミングパルスは諧調制御部で生成される。
【００２５】
図５（イ）は、データセレクタ６５の一実施例を表し、８入力１出力のマルチプレクサ６５ａで構成される。マルチプレクサ６５ａの入力選択制御信号は、前述のＰｍが用いられる。Ｒｍ、Ｇｍ、Ｂｍは、画像データメモリ６３、６４の読出制御端子に直接入力され、色毎の読出制御に用いられる。画像データメモリはパラレル画像データを出力するパラレル出力端子を有し、該パラレル出力端子にマルチプレクサ６５ａの入力端子が接続されている。結果としてマルチプレクサ６５ａ出力から色毎、映像レベル毎のビットデータの１か０かのデータが得られる。この色毎、映像レベル毎のビットデータは、Ｙドライブ６７に入力され反射型表示ディバイスの輝度制御信号として用いられる。
【００２６】
図５（イ）は、データセレクタ６５の他の実施例を表し、マルチプレクサに替え、画像データメモリ６３、６４の読出し画像データとＰｍとの論理積を行う８個のＡＮＤゲートと、ＡＮＤゲートの出力の論理和を行うＯＲゲートで構成され、同等の機能を持つ。
【００２７】
タイミングパルスの生成は、以上に記述した映像信号のレベルウエイトに比例したパルス幅のＰｍを発生する方法に依らず第二の方法が取られる。第二、第三及び第四の実施例の回転色フィルタを用いる場合、インデックス信号は、ＢＬ、ＣＬのみであり、ＣＬの周期はＬＳＢ相当（ｒ１、ｇ１、ｂ１）である。この為、Ｐ８（ｍ＝８）の発生に替えて、Ｐ１の周期で８回繰り返し発生させる、画像データの読出しおよび表示をｍ（ｍ＝８）倍走査することにより、等価の効果を得る。
【００２８】
【発明の効果】
本発明は以上に説明した形態で実施され、以下に述べる効果を奏する。
映像信号の１フィールド期間に同一色選択特性の色フィルタが複数回通過する回転色フィルタは入力映像信号に同期して回転制御され、センサで検出した回転位相よりタイミングパルスを生成し，該タイミングパルスによりディジタル画像データを色順、レベル順に読出し、反射型表示ディバイスを駆動することにより、スクリーンに投射出力されている画面が自然に見え、フリッカを感じない反射型プロジェクタの提供を可能成らしめた。
【図面の簡単な説明】
【図１】本発明による反射型プロジェクタの一実施例の要部構成図である。
【図２】本発明による回転色フィルタの各種実施例である。
【図３】本発明による表示制御装置の一実施例の要部ブロック図である。
【図４】本発明の色フィルタの構成を示す説明図である。
【図５】本発明によるデータセレクタとタイミングパルスの制御タイミング図である。
【図６】従来技術による反射型プロジェクタの要部構成図である。
【符号の説明】
Ｓ  スクリーン
Ｌ  白色光源
Ｌｎ１、Ｌｎ２  コンデンサレンズ
Ｌｎ３  投射レンズ
１  回転色フィルタ
１ｄ  回転円筒
２  モータ
３  センサ
４  反射型表示ディバイス
５  表示制御装置
５１  アンプ
５２  タイミングデコーダ
５３  駆動制御部
５４  駆動部
６１  Ａ／Ｄ
６２  セレクタ
６３、６４  画像メモリ
６５  データセレクタ
６５ａ  マルチプレクサ
６６  諧調制御部
６７  Ｙドライブ
６８  Ｘレジスタ
【図１】
0003899641.tif 000002
【図２】
0003899641.tif 000003
【図３】
0003899641.tif 000004
【図４】
0003899641.tif 000005
【図５】
0003899641.tif 000006
【図６】
0003899641.tif 000007